(57)【特許請求の範囲】
【請求項１】
便器を洗浄して汚物を排出する水洗大便器であって、
底面に上下方向に延びる排水口を形成する洗浄水タンクであって、この洗浄水タンクに洗浄水を給水する給水手段と、上記排水口を開閉する排水弁と、を備えた洗浄水タンクと、
ボウル形状の汚物受け面と上縁部に形成されたリム部とを備えたボウル部と、このボウル部の下方にその入口が接続され汚物を排出する排水路と、上記洗浄水タンクの排水口から供給された洗浄水をほぼ水平方向に吐水して上記ボウル部内に旋回流を形成する吐水部と、を備えた便器本体と、を有し、
上記洗浄水タンクの排水口の流路内には、洗浄水の流れ方向の所定長さの区間における上記排水口の流路の開口断面積を縮小させる絞り部材が配置され、
上記絞り部材は、上下方向に延びる円筒で形成された円筒部とこの円筒部の下部から半径方向外側に突出する突出部とを有し、且つ上記洗浄水タンクの排水口の流路断面のほぼ中央に配置され、さらに、
上記洗浄水タンクは、更に、上記排水弁に結合されて上下方向に延びるように形成され且つ上記排水弁と共に上方に引き上げられることにより上記排水弁が開弁して上記排水口から上記便器本体の吐水部へ洗浄水を供給する管部材を備え、上記管部材の下部の外側に上記排水弁が固定され且つ上記管部材の下部の内側に上記絞り部材の上記円筒部の上端部が結合され、この円筒部の下部から半径方向外側に突出する上記突出部は、上記排水弁が上記排水口を開放している状態で上記排水口の流路内に位置し且つこの流路の流路断面積を減少させるように構成されていることを特徴とする水洗大便器。
【請求項２】
上記絞り部材は、上記円筒部の下端に上記突出部を有し、上記排水弁が上記排水口を開放している状態で上記排水口内に上記突出部が挿入されており、この突出部の下端から上記排水口の上端までの上記絞り部材の上下方向の長さは、５ｍｍ以上の長さに設定されている請求項１記載の水洗大便器。
【請求項３】
上記水洗大便器は、上記便器本体のボウル部内の水の落差による流水作用で汚物を押し流すことにより便器洗浄を行う洗い落し式の水洗大便器である請求項１又は２に記載の水洗大便器。
【請求項４】
便器を洗浄する洗浄水を貯える洗浄水タンクの排水弁装置であって、
洗浄水タンクの底面に上下方向に延びるように形成された排水口を開閉する排水弁と、
上下方向に延びるように上記排水弁に結合され且つ上記排水弁と共に上方に引き上げられることにより上記排水弁が開弁して上記排水口から便器に洗浄水を排出させる管部材と、
この管部材の内側に結合され且つ上記排水口の流路内の洗浄水の流れ方向の所定長さの区間における上記排水口の流路の開口断面積を縮小させる絞り部材と、
を有し、
上記絞り部材は、上下方向に延びる円筒で形成された円筒部とこの円筒部の下部から半径方向外側に突出する突出部とを有し、且つ上記洗浄水タンクの排水口の流路断面のほぼ中央に配置され、さらに、
上記管部材の下部の外側に上記排水弁が固定され且つ上記管部材の下部の内側に上記絞り部材の上記円筒部の上端部が結合され、この円筒部の下部から半径方向外側に突出する上記突出部は、上記排水弁が上記排水口を開放している状態で上記排水口の流路内に位置し且つこの流路の流路断面積を減少させるように構成されていることを特徴とする排水弁装置。
【発明の詳細な説明】
【技術分野】
【０００１】
本発明は、水洗式大便器に係り、特に、便器を洗浄して汚物を排出する水洗大便器に関する。
【背景技術】
【０００２】
従来から、便器を洗浄して汚物を排出する水洗大便器として、例えば、水洗大便器のボウル部の全周に形成されたリム部をオーバーハング形状として、リム吐水口から略水平方向に洗浄水を吐水し旋回流を形成するタンク式の水洗式大便器が知られている。
また、特許文献１に記載されているように、タンク式の水洗式大便器において、洗浄水タンクの排水口部分にガイド部材を設けることにより、洗浄水タンクから排出される洗浄水量の瞬間流量を大きくするものが知られている。
【先行技術文献】
【特許文献】
【０００３】
【特許文献１】特開２００１−２６２６５７号公報
【発明の概要】
【発明が解決しようとする課題】
【０００４】
しかしながら、特許文献１の水洗式大便器は、排出される洗浄水の瞬間流量をガイド部材により大きくできることにより、洗浄時間の前半において一時的に洗浄性能は向上するが、近年の節水化により便器洗浄に使用できる洗浄水量自体が減る場合、このように洗浄時間前半で排出する洗浄水の瞬間流量を上げて排出し過ぎると、洗浄時間の後半では洗浄水量が不足し、結果として汚物排出性能が低下するといった問題がある。
また、リム部をオーバーハング形状として、リム吐水口から略水平方向に洗浄水を吐水し旋回流を形成する水洗式大便器では洗浄水タンクから排出される洗浄水の瞬間流量を大きくし過ぎると便器本体のボウル部を旋回する洗浄水が便器外へと水飛びをするといった問題がある。
【０００５】
そこで、本発明は、上述した従来技術の問題点を解決するためになされたものであり、洗浄水タンクの排水口から排出される洗浄水の瞬間流量を抑えることができると共に、瞬間流量がほぼ一定に持続する時間を長くすることができるため、便器の排出性能を向上させることができる水洗大便器を提供することを目的とする。
【課題を解決するための手段】
【０００６】
上記の目的を達成するために、本発明は、便器を洗浄して汚物を排出する水洗大便器であって、底面に上下方向に延びる排水口を形成する洗浄水タンクであって、この洗浄水タンクに洗浄水を給水する給水手段と、排水口を開閉する排水弁と、を備えた洗浄水タンクと、ボウル形状の汚物受け面と上縁部に形成されたリム部とを備えたボウル部と、このボウル部の下方にその入口が接続され汚物を排出する排水路と、洗浄水タンクの排水口から供給された洗浄水をほぼ水平方向に吐水してボウル部内に旋回流を形成する吐水部と、を備えた便器本体と、を有し、洗浄水タンクの排水口の流路内には、洗浄水の流れ方向の所定長さの区間における排水口の流路の開口断面積を縮小させる絞り部材が配置され
上記絞り部材は、上下方向に延びる円筒で形成された円筒部とこの円筒部の下部から半径方向外側に突出する突出部とを有し、且つ上記洗浄水タンクの排水口の流路断面のほぼ中央に配置され、さらに、
上記洗浄水タンクは、更に、上記排水弁に結合されて上下方向に延びるように形成され且つ上記排水弁と共に上方に引き上げられることにより上記排水弁が開弁して上記排水口から上記便器本体の吐水部へ洗浄水を供給する管部材を備え、上記管部材の下部の外側に上記排水弁が固定され且つ上記管部材の下部の内側に上記絞り部材の上記円筒部の上端部が結合され、この円筒部の下部から半径方向外側に突出する上記突出部は、上記排水弁が上記排水口を開放している状態で上記排水口の流路内に位置し且つこの流路の流路断面積を減少させるように構成されていることを特徴としている。
このように構成された本発明においては、洗浄水タンクの排水口の流路内の洗浄水の流れ方向の所定長さの区間における排水口の流路の開口断面積を縮小させる絞り部材が配置されていることにより、排水口から排出される洗浄水の瞬間流量を抑えることができると共に、瞬間流量がほぼ一定に持続する時間を長くすることができるため、近年の節水化により便器洗浄に使用できる洗浄水量自体が減ったとしても、便器の排出性能を向上させることができる。また、ボウル部内にほぼ水平方向に洗浄水を吐水して旋回流を形成する便器本体において、瞬間流量を抑えると共に、瞬間流量をほぼ一定にすることができるため、便器本体の外部への水飛びを防止することができる。
また、このように構成された本発明においては、絞り部材が上下方向に延びる円筒で形成されて洗浄水タンクの排水口の流路断面のほぼ中央に配置されていることにより、洗浄水タンクの排水口から便器本体へ流れる洗浄水が整流された状態で流れる。したがって、洗浄水タンクの排水口を流れる洗浄水の乱流が少なくなり、瞬間流量がほぼ一定に持続する時間を長くすることができるため、近年の節水化により便器洗浄に使用できる洗浄水量自体が減ったとしても、便器の排出性能を向上させることができる。また、ボウル部内にほぼ水平方向に洗浄水を吐水して旋回流を形成する便器本体において、瞬間流量を抑えると共に、瞬間流量をほぼ一定にすることができるため、便器本体の外部への水飛びを防止することができる。
さらに、このように構成された本発明においては、排水弁が排水口を開放している状態においても、絞り部材の円筒部の下部から半径方向外側に突出する突出部が排水口の流路内に位置していることにより、排水口の流路の開口断面積を確実に縮小させることができ、排水口から排出される洗浄水の瞬間流量を抑えることができると共に、瞬間流量がほぼ一定に持続する時間を長くすることができるため、近年の節水化により便器洗浄に使用できる洗浄水量自体が減ったとしても、便器の排出性能を向上させることができる。また、ボウル部内にほぼ水平方向に洗浄水を吐水して旋回流を形成する便器本体において、瞬間流量を抑えると共に、瞬間流量をほぼ一定にすることができるため、便器本体の外部への水飛びを防止することができる。
【０００９】
本発明において、好ましくは、絞り部材は、上記円筒部の下端に上記突出部を有し、排水弁が排水口を開放している状態で排水口内に上記突出部が挿入されており、この突出部の下端から上記排水口の上端までの上記絞り部材の上下方向の長さは、５ｍｍ以上の長さに設定されている。
このように構成された本発明においては、絞り部材が、排水弁が排水口を開放している状態で排水口内に突出部が挿入され、この突出部の下端から排水口の上端までの絞り部材の上下方向の長さが５ｍｍ以上の長さに設定されていることにより、排水弁が排水口を開放している状態で万一排水弁が傾いたり、排水弁の引き上げ量がばらついたりしても、絞り部材を排水口のほぼ中央に位置させることができる適度な長さに設定することができ、排水口の開口断面積を周方向に沿って均一に縮小させることができる。
【００１０】
本発明において、好ましくは、水洗大便器は、便器本体のボウル部内の水の落差による流水作用で汚物を押し流すことにより便器洗浄を行う洗い落し式の水洗大便器である。
このように構成された本発明においては、便器本体のボウル部内の水の落差による流水作用で汚物を押し流すことにより便器洗浄を行う洗い落し式の水洗大便器として用いることによって、長時間の洗浄を要し、瞬間流量がほぼ一定に持続する時間を長くすることが要求される洗い落し式の水洗大便器に特に有利な効果をもたらすことができる。
【００１１】
本発明において、好ましくは、便器を洗浄する洗浄水を貯える洗浄水タンクの排水弁装置であって、洗浄水タンクの底面に上下方向に延びるように形成された排水口を開閉する排水弁と、上下方向に延びるように排水弁に結合され且つ排水弁と共に上方に引き上げられることにより排水弁が開弁して上記排水口から便器に洗浄水を排出させる管部材と、この管部材の内側に結合され且つ排水口の流路内の洗浄水の流れ方向の所定長さの区間における排水口の流路の開口断面積を縮小させる絞り部材と、を有し、絞り部材は、上下方向に延びる円筒で形成された円筒部とこの円筒部の下部から半径方向外側に突出する突出部とを有し、且つ洗浄水タンクの排水口の流路断面のほぼ中央に配置され、さらに、管部材の下部の外側に排水弁が固定され且つ管部材の下部の内側に絞り部材の円筒部の上端部が結合され、この円筒部の下部から半径方向外側に突出する突出部は、排水弁が排水口を開放している状態で排水口の流路内に位置し且つこの流路の流路断面積を減少させるように構成されていることを特徴としている。
このように構成された本発明においては、洗浄水タンクの排水口の流路内の洗浄水の流れ方向の所定長さの区間における排水口の流路の開口断面積を縮小させる絞り部材により、排水口から排出される洗浄水の瞬間流量を抑えることができると共に、瞬間流量がほぼ一定に持続する時間を長くすることができるため、近年の節水化により便器洗浄に使用できる洗浄水量自体が減ったとしても、便器の排出性能を向上させることができる。
また、例えば、このように構成された本発明においては、絞り部材が上下方向に延びる円筒で形成されて洗浄水タンクの排水口の流路断面のほぼ中央に配置されていることにより、洗浄水タンクの排水口から便器本体へ流れる洗浄水が整流された状態で流れる。したがって、洗浄水タンクの排水口を流れる洗浄水の乱流が少なくなり、瞬間流量がほぼ一定に持続する時間を長くすることができるため、近年の節水化により便器洗浄に使用できる洗浄水量自体が減ったとしても、洗浄水タンクが適用される便器の排出性能を向上させることができる。また、ボウル部内にほぼ水平方向に洗浄水を吐水して旋回流を形成する便器本体において、瞬間流量を抑えると共に、瞬間流量をほぼ一定にすることができるため、便器本体の外部への水飛びを防止することができる。
さらに、例えば、このように構成された本発明においては、排水弁が排水口を開放している状態においても、絞り部材の円筒部の下部から半径方向外側に突出する突出部が排水口の流路内に位置していることにより、排水口の流路の開口断面積を確実に縮小させることができ、排水口から排出される洗浄水の瞬間流量を抑えることができると共に、瞬間流量がほぼ一定に持続する時間を長くすることができるため、近年の節水化により便器洗浄に使用できる洗浄水量自体が減ったとしても、洗浄水タンクが適用される便器の排出性能を向上させることができる。また、ボウル部内にほぼ水平方向に洗浄水を吐水して旋回流を形成する便器本体において、瞬間流量を抑えると共に、瞬間流量をほぼ一定にすることができるため、便器本体の外部への水飛びを防止することができる。
【発明の効果】
【００１２】
本発明の水洗大便器によれば、洗浄水タンクの排水口から排出される洗浄水の瞬間流量を抑えることができると共に、瞬間流量がほぼ一定に持続する時間を長くすることができるため、近年の節水化により便器洗浄に使用できる洗浄水量自体が減ったとしても、便器の排出性能を向上させることができる。
【図面の簡単な説明】
【００１３】
【図１】本発明の第１実施形態による水洗大便器の側面断面図である。
【図２】本発明の第１実施形態による水洗大便器の便器本体の部分正面外観図及び水洗大便器の洗浄水タンク装置の部分正面断面図である。
【図３】本発明の第１実施形態による水洗大便器の内装タンクの内部構造を概略で示した概略斜視図である。
【図４】本発明の第１実施形態による水洗大便器の内装タンク、給水装置、駆動装置及び排水弁装置の一部を、排水弁装置が閉弁している状態において示した概略部分断面図である。
【図５】本発明の第１実施形態による水洗大便器の排水弁装置の絞り部材を示した斜視図である。
【図６】本発明の第１実施形態による水洗大便器の排水弁装置の絞り部材の側面図である。
【図７】図４のＶＩＩ−ＶＩＩ線に沿って見た断面図である。
【図８】本発明の第１実施形態による水洗大便器の内装タンク、給水装置、駆動装置及び排水弁装置の一部を、排水弁装置が開弁している状態において示した概略部分断面図である。
【図９】本発明の第１実施形態の洗浄水タンク装置において、洗浄水タンク装置から排出される洗浄水の瞬間流量と、洗浄水タンク装置が開弁されてからの時間との関係について調べた実験結果を示す図である。
【図１０】本発明の参考例の第２実施形態による水洗大便器の内装タンク、給水装置、駆動装置及び排水弁装置の一部を、排水弁装置が閉弁している状態において示した概略部分断面図である。
【図１１】本発明の参考例の第２実施形態による水洗大便器の洗浄水タンク装置の絞り部材を示した斜視図である。
【図１２】本発明の参考例の第２実施形態による水洗大便器の洗浄水タンク装置の絞り部材を示した側面図である。
【図１３】本発明の参考例の第２実施形態による水洗大便器の洗浄水タンク装置の絞り部材を示した上面図である。
【図１４】本発明の参考例の第２実施形態による水洗大便器の内装タンク、給水装置、駆動装置及び排水弁装置の一部を、排水弁装置が開弁している状態において示した概略部分断面図である。
【発明を実施するための形態】
【００１４】
以下、添付図面を参照して、本発明の第１実施形態による水洗式大便器の構成について説明する。
図１は、本発明の第１実施形態による水洗大便器の側面断面図であり、図２は、本発明の第１実施形態による水洗大便器の便器本体の部分正面外観図及び水洗大便器の洗浄水タンク装置の部分正面断面図であり、図３は、本発明の第１実施形態による水洗大便器の内装タンクの内部構造を概略で示した概略斜視図であり、図４は、本発明の第１実施形態による水洗大便器の内装タンク、給水装置、駆動装置及び排水弁装置の一部を、排水弁装置が閉弁している状態において示した概略断面図である。
【００１５】
図１に示すように、符号１はボウル部内の水の落差による流水作用で汚物を押し流す、いわゆる、洗い落し式の水洗大便器であり、この水洗大便器１は、陶器製の便器本体２を備え、この便器本体２の上部の前方側には、ボウル部４が形成され、後方側の上部には導水路６が、導水路６の下方にはボウル部４と連通する排水トラップ管路８が、それぞれ形成されている。
【００１６】
便器本体２のボウル部４は、ボウル形状の汚物受け面５と、ボウル部４の上縁部に沿ってほぼ鉛直方向に立ち上がる形状に形成されたリム部１０と、これら汚物受け面５とリム部１０との間に形成された棚部７を備えている。また、リム部１０のリム吐水口１２は、ボウル部４を前後方向又は左右方向にそれぞれ等分したときに、ボウル部４を前方から見て前方左側に配置されている。このリム吐水口１２からほぼ水平方向に洗浄水が吐水され、洗浄水が旋回しながら下降してボウル部４を洗浄することができるようになっている。
本実施形態では、リム部が鉛直方向に立ち上がる形状に形成されたリム部１０としているが、リム部１０がオーバーハングした形状に設定した形態でもよい。
また、本実施形状では、リム吐水口１２を、ボウル４を前方から見て前方左側に配置しているが、後方左側に配置した形態でもよい。
【００１７】
導水路６は、便器本体２の後方上部に形成された導水路流入口６ａから前方に延びる共通導水路６ｂと、ボウル部４の背面側近傍で共通導水路６ｂから分岐し、便器本体２の前方側から見て左側に位置するリム部１０の内部に沿って前方へ延びリム吐水口１２まで延びるリム導水路６ｃと、ボウル部４の背面側近傍で共通導水路６ｂから分岐し便器本体２の前方側から見てボウル部４の左側壁面外側を迂回するように前方へ延びゼット吐水口２２まで延びるゼット導水路６ｄとを備えている。
【００１８】
ボウル部４の下方には、鎖線Ｗ0で溜水面が示された溜水部１４が形成されている。この溜水部１４の下方には、排水トラップ管路８の入口８ａが開口し、この入口８ａから後方の排水トラップ管路８は排水ソケット（図示せず）を介して床下の排出管（図示せず）に接続されている。
また、ボウル部４の溜水面Ｗ0の上方位置には、便器本体２の後方側の内部に形成されるゼット導水路６ｄから供給される洗浄水を吐水するゼット吐水口１８が形成され、このゼット吐水口１８から吐水される洗浄水が溜水部１４の溜水を上下方向に旋回させる旋回流を生じさせるようになっている。
このように、水洗大便器１は、供給された洗浄水の落差により流れ落ちる力による流水作用によりボウル部４を洗い落とすように洗浄する洗い落とし式の水洗大便器である。
【００１９】
便器本体２の導水路６の上方には、洗浄水を貯留する洗浄水タンク装置２０が設けられている。
この洗浄水タンク装置２０は、洗浄水タンクの形状の中でも比較的縦方向に長い形状である、いわゆる、ハイシルエットタイプ形状の外枠を形成する外装タンク２２を備え、貯水する洗浄水量を低減して節水できるようになっている。この外装タンク２２の底面２２ａには、上下方向に延びるように形成され、便器本体２の導水路６に排水する外装タンク排水口部２２ｂが形成されている。
【００２０】
つぎに、図１乃至図４により、洗浄水タンク装置２０について説明する。
図１乃至図４に示すように、洗浄水タンク装置２０は、樹脂製の外装タンク２２と、外装タンク２２の内側に配置され洗浄水が貯留される樹脂製の内装タンク２４と、内装タンク２４内に洗浄水を給水する給水装置２６と、使用者の操作指令等を受けて給水装置２６及び後述する排水弁装置３０を操作する操作装置２８と、内装タンク２４内に貯留された洗浄水を排水する排水弁装置３０と、を備えている。
【００２１】
外装タンク２２は、便器本体２の後方上部に配置され、外装タンク２２の底面２２ａに形成された外装タンク排水口部２２ｂが、便器本体２の後方上部に形成された導水路流入口６ａ内に挿入されるように組み合わされて、外装タンク２２の底面２２ａの外装タンク排水口部２２ｂ内の流路を形成している。外装タンク２２の上端部には、着脱自在な外蓋（図示せず）が固定されている。
内装タンク２４の頂部には、内蓋３２が設けられ、内装タンク２４の上端部且つ内蓋３２の内側には、給水装置２６等の複数の部材を結合する結合部材３４が設けられ、さらに、内装タンク２４の底面２４ａには、上下方向に延びるように形成され、便器本体２の導水路６に連通する内装タンク排水口部２４ｂが形成され、内装タンク２４内には、給水装置２６、操作装置２８、排水弁装置３０、が設けられている。
また、図２に示すように、内装タンク２４内の満水時の水位（最高水位）がＷＬ１で示されており、内装タンク２４内の止水時の水位がＷＬ２で示されている。
【００２２】
つぎに、給水装置２６について説明する。
図２乃至図４に示すように、給水装置２６は、給水管３６、分岐部３８、導水部４０、給水バルブ４２と、補給水部４４とを備えている。
給水管３６は、給水管３６の上流側端部は外部の水道等の給水源（図示せず）に接続され、下流側は、分岐部３８に接続され、分岐部３８の下流側の導水部４０、給水バルブ４２及び補給水部４４と連通されている。
【００２３】
分岐部３８は、給水管３６の下流端に接続され、給水管３６からの給水を、結合部材３４を介して内装タンク２４内に導水する導水部４０と、内装タンク２４内へ給水する給水バルブ４２と、補給水をするための補給水部４４とに分岐することができるようになっている。
分岐部３８に接続された導水部４０は、フレキシブルホース等の可撓性の管部材からなり、分岐部３８からほぼ上方に所定距離延びた後、結合部材３４に向って緩やかに曲げられ、導水部４０の下流側端部が、結合部材３４に接続されている。
【００２４】
給水バルブ４２は、電磁バルブからなり、結合部材３４に設けられた内装タンク２４内の水位を検知するフロートスイッチ４６からなる水位センサの水位検知情報に基づいて操作装置２８のコントローラ（図示せず）からの指令により給水バルブ４２の開閉動作が制御され、給水装置２６の吐水口４８から内装タンク２４内への洗浄水の給水又は止水が切り替えられるようになっている。
【００２５】
補給水部４４には、補給水管バルブ５０が設けられ、結合部材３４における補給水管バルブ５０の下流側の流路端には補給水を下方に向けて吐水する補給水口５２が形成されている。
この補給水部４４の補給水管バルブ５０は、結合部材３４に結合されており、補給水部４４の補給水口５２は、結合部材３４の下面に形成されている。
【００２６】
つぎに、図１乃至図４を参照して、操作装置２８について説明する。図５は、本発明の一実施形態による洗浄水タンク装置を示す部分正面断面図である。
図１乃至図４に示すように、操作装置２８は、使用者の操作指令等により駆動される回転駆動装置２８ａと、回転駆動装置２８ａにより回転される回転軸２８ｂと、この回転軸の回転により操作される操作レバー２８ｃとを備えている。
回転駆動装置２８ａは、回転軸２８ｂを回転させるための電動モータ等の駆動装置であり、内装タンク２４の上方外側に配置されている。
【００２７】
また、回転軸２８ｂは、その基端部が回転駆動装置２８ａに保持され、この基端部から先端部にかけてほぼ水平に延びている。
さらに、回転軸２８ｂの先端部には操作レバー２８ｃが固定されており、回転駆動装置２８ａの駆動により所定の回転角度の範囲内で回転軸２８ｂと操作レバー２８ｃが一体に回転し、操作レバー２８ｃの回転方向に応じて、操作レバー２８ｃに取付けられた玉鎖５４が上昇又は下降するので、玉鎖５４の取付けられた後述するオーバーフロー管６０が上昇又は下降移動するようになっている。
【００２８】
つぎに、図１乃至図４により、本実施形態による水洗大便器１の洗浄水タンク装置２０の排水弁装置３０について説明する。
排水弁装置３０は、内装タンク２４内の洗浄水を便器本体２に供給する装置であり、基部部材５６と、ガイド部材５８と、オーバーフロー管６０と、弁体６２と、絞り部材６４とを備えている。
【００２９】
基部部材５６は、排水弁装置３０全体を内装タンク２４内の内装タンク排水口部２４ｂ上方に立ち上がるように下部から支持する柱状に延びる４本の脚部６６と、内装タンク排水口部２４ｂの上側周端部に形成されて弁体６２が当接して着座可能な弁座６８とを備えている。
脚部６６は、この脚部６６の上端がガイド部材５８に取付けられてガイド部材５８を所定の上方位置において下側から支持し、脚部６６の下端は内装タンク２４の底面２４ａの内装タンク排水口部２４ｂに取付けられ、弁体６２が着座している時には、これら脚部６６の間を内装タンク２４内の貯水領域として貯水することができ、弁体６２が上昇している時には、これら脚部６６の間において内装タンク２４内の貯水領域から洗浄水を内装タンク排水口部２４ｂに流入（内装タンク２４内から便器本体２に排出）する流れを導く導水路７０（図８参照）を形成している。
弁座６８は、弁体６２が最低位置まで下降した際に、弁体６２が上方から密接して内装タンク２４内の貯水領域と内装タンク排水口部２４ｂ内の排水流路との間を密閉できるようになっている。
なお、基部部材５６と内装タンク２４については、内装タンク排水口部２４ｂを基部部材５６と一体に形成してもよく、また、弁座６８が内装タンク２４の底面２４ａと一体に形成されるような形態でもよい。 
【００３０】
ガイド部材５８は、基部部材５６の上部から上方に延び、上下方向にほぼ円筒状に延びるオーバーフロー管６０の一部の外側を取り囲むように形成されている。ガイド部材５８には、オーバーフロー管６０の一部が摺動可能に挿入されており、オーバーフロー管６０の上下移動を垂直方向に対する横ずれや傾きが生じないようにガイドするようになっている。
【００３１】
オーバーフロー管６０は、その下端部に位置し且つ内装タンク２４の排水口２４ｂと対向する下端開口部６０ａから、上方に位置する上端開口部６０ｂにかけてほぼ円筒状に延びている管部材であり、ガイド部材５８によって上下方向に摺動可能に保持されている。
【００３２】
そして、内装タンク２４内の洗浄水の水位が満水時の水位ＷＬ１を超えてさらに上昇し、オーバーフロー管６０の上端開口部６０ｂの高さ位置を上回ってオーバーフローした際には、このオーバーフローした洗浄水がオーバーフロー管６０の上端開口部６０ｂから下端開口部６０ａを経て内装タンク２４の内装タンク排水口部２４ｂから外装タンク２２の外装タンク排水口部２２ｂ内を流下し、便器本体２内の導水路６に排水されるようになっている。
なお、本実施形態では、一例として、オーバーフロー管６０が上下方向に摺動することにより、内装タンク排水口部２４ｂを開閉することができるようになっているような形態について説明しているが、このような形態に限定されず、オーバーフロー管６０の代わりに、特に、オーバーフロー管としての機能を備えていない単純な管部材のようなものを適用してもよい。
【００３３】
また、オーバーフロー管６０は、結合部材３４の補給水口５２の下方に設置されている。したがって、弁体６２が内装タンク排水口部２４ｂを閉止した後も、補給水口５２からの補給水が、便器本体２への補給水（洗浄後のリフィル給水）として、オーバーフロー管６０の上端開口部６０ｂから下端開口部６０ａを経て内装タンク２４の内装タンク排水口部２４ｂから便器本体２側に排水できるようになっている。
【００３４】
さらに、オーバーフロー管６０は、上端開口部６０ｂ下方に側方に突出する玉鎖取付部６０ｃを備え、オーバーフロー管６０を上下動させるための操作装置２８から延びる玉鎖５４がオーバーフロー管６０の玉鎖取付部６０ｃに取り付けられている。
【００３５】
弁体６２は、オーバーフロー管６０の下端開口部６０ａの外周から外側に向かって固着された円環状のシール部材であり、オーバーフロー管６０と一体に固定されているので、操作装置２８の操作に応じてオーバーフロー管６０と一体的に上昇又は下降するようになっている。オーバーフロー管６０が内装タンク２４内で最低位置まで下降した際には、弁体６２は、弁座６８に当接して着座しながら停止され、オーバーフロー管６０の下端部と共に弁座６８と密着して内装タンク２４の排水口２４ｂを密閉する排水弁として機能することができるようになっている。
なお、弁体６２は、弁座６８と密着するように、ゴムや樹脂等の可撓性材料によって形成されている。
【００３６】
つぎに、図４乃至図７により、絞り部材６４の詳細について説明する。
図５は、本発明の第１実施形態による水洗大便器の排水弁装置の絞り部材を示した斜視図であり、図６は、本発明の第１実施形態による水洗大便器の排水弁装置の絞り部材の側面図であり、図７は、図４のＶＩＩ−ＶＩＩ線に沿って見た断面図である。
【００３７】
絞り部材６４は、内装タンク排水口部２４ｂ及び外装タンク排水口部２２ｂ内の流路を絞る部材であり、中空の円筒形状に形成され、その内側と外側にそれぞれ別々に流路を形成できるようになっている。
絞り部材６４は、その上部の外周において排水弁装置３０のオーバーフロー管６０の下端に内側から合致するように取り付けられるようになっている絞り部材取付部７２と、排水弁装置３０の開弁時に水圧等の影響を抑えるような開口を形成すると共に洗浄水の吹き上がりを防ぐような傘を形成する傘部７４と、内装タンク排水口部２４ｂの流路内において円形の排水口形状との間にドーナツ形状の流路を形成する円筒部７６と、この円筒部７６の下端において半径方向外側に環状に突出する突出部７８とを備える。絞り部材６４は、この傘部７４がオーバーフロー管６０内に配置された状態で、円筒部７６上部外周がオーバーフロー管６０に固定取付けされているので、操作装置２８の操作に応じてオーバーフロー管６０と一体的に上昇又は下降するようになっている。
【００３８】
絞り部材６４の中心軸線が内装タンク排水口部２４ｂの流路断面の中央に配置されている。このように絞り部材６４の中心軸線が、内装タンク排水口部２４ｂの中心軸線と一致した状態で絞り部材６４が上下に摺動されるようになっているので、絞り部材６４の円筒部７６は、内装タンク２４の排水口部２４ｂとの間に円筒部環状流路８０を形成するようになっている。この環状流路８０は、この円筒部環状流路８０の水平方向の流路断面積が、内装タンク排水口部２４ｂの開口断面積よりも絞り部材６４の円筒部７６の内側断面積の分だけ減少されるように形成され、また、この円筒部環状流路８０は、絞り部材６４が内装タンク排水口部２４ｂの流路断面積をその内装タンク排水口部２４ｂの中心から全円周方向にわたってほぼ均等に絞ることによって形成されている。
絞り部材６４の円筒部７６は、開弁時に絞り部材６４が最も上昇された場合において、円筒部７６が内装タンク排水口部２４ｂの流路内に、その上下方向の長さ区間にわたって部分的に挿入された状態で位置されるようになっている。このとき、内装タンク排水口部２４ｂの流路内の弁座６８の上部から円筒部７６の下端７６ａまでの長さ区間、５ｍｍ以上の長さ、より好ましくは６ｍｍ以上の長さから、絞り部材６４が最も下降された場合に便器本体２の導水路６の底の陶器に当たらない程度の長さまで（例えば１０ｍｍの長さまで）の長さ区間にわたって円筒部環状流路８０が形成されるようになっている。
【００３９】
絞り部材６４の突出部７８は、円筒部７６の下端７６ａから半径方向外側に向かって環状に突出するように形成されている。従って、突出部７８と内装タンク排水口部２４ｂとの間の流路は、円筒部７６と内装タンク排水口部２４ｂとの間の流路よりも狭く形成され、すなわち、突出部７８と内装タンク排水口部２４ｂ又は外装タンク排水口部２２ｂとの間の突出部環状流路８１の流路断面積は、円筒部７６と内装タンク排水口部２４ｂとの間の円筒部環状流路８０の流路断面積よりも減少されている。
絞り部材６４の突出部７８は、弁体６２が上昇を開始する排水初期において、内装タンク排水口部２４ｂ内に流入する洗浄水に対して流れの抵抗を生じさせることができるので、内装タンク排水口部２４ｂ内に流入する洗浄水の瞬間流量の増加を緩やかに抑えることができる。
【００４０】
絞り部材６４は、上述のような円筒形状の他に、例えば、上方から下方に向かって徐々に拡径しながら広がる錘状の筒形状体、上部から円筒部７６が形成され、中央部から下方に向かって徐々に拡径しながら広がる錘状の筒形状体、上下方向の長さが上記円筒部７６よりも短く形成されている筒形状体、外周上に流水の抵抗となる板形状の抵抗部を上下方向に沿って設置した筒形状体等の他の形状を有することができる。
【００４１】
つぎに、図１〜図４、及び図８を参照して、本発明の第１実施形態による水洗大便器の動作（作用）について説明する。
図８は、本発明の第１実施形態による水洗大便器の内装タンク、給水装置、駆動装置及び排水弁装置の一部を、排水弁装置が開弁している状態において示した概略部分断面図である。
【００４２】
図４に示すように、使用者が水洗大便器１を使用する前においては、弁体６２が弁座に着座しており、 内装タンク２４内には洗浄水が満水水位ＷＬ１まで貯溜している状態となっている。
次に、図８に示すように、使用者が水洗大便器１を使用後、水洗大便器１に設けられている便器使用者を検知する人体検知センサ（図示せず）からの信号、或いは、水洗大便器１の洗浄操作を指令する操作ボタン（図示せず）を使用者が操作した信号が操作装置２８内のコントローラ（図示せず）に送られ、回転駆動装置２８ａの作動が開始する。そして、回転駆動装置２８ａが作動すると、回転軸２８ｂと共に操作レバー２８ｃが所定方向に回転し、この操作レバー２８ｃに取り付けられている玉鎖５４が引き上げられ、オーバーフロー管６０の玉鎖取付部６０ｃが引き上げられる。このとき、オーバーフロー管６０は、ガイド部材５８によって、ガイドされながらガイド部材５８に対して上昇する。また、弁体６２は、オーバーフロー管６０の下端部に固着されているため、オーバーフロー管６０の上昇に伴って弁体６２も上昇する。
【００４３】
弁体６２が上昇を開始すると、内装タンク２４内に貯溜していた洗浄水が、弁体６２と内装タンク２４の内装タンク排水口部２４ｂとの間に矢印Ａ１に示すように流入を開始する。このとき、弁体６２と内装タンク排水口部２４ｂとの間に流入する洗浄水は、絞り部材６４の円筒部７６と内装タンク排水口部２４ｂとの間を流下する。従来技術のように絞り部材６４が内装タンク排水口部２４ｂ内に配置されていない場合には、洗浄水が一気に比較的高い瞬間流量で内装タンク排水口部２４ｂ内に流入していたが、本実施形態のような絞り部材６４が内装タンク排水口部２４ｂ内のほぼ中央に配置されている場合には、円筒部７６と内装タンク排水口部２４ｂとの間に形成されたドーナツ形状の流路により、内装タンク排水口部２４ｂ内の開口断面積が縮小されているので、洗浄水が一気に通過することを抑制することができ、排出される洗浄水の瞬間流量が抑制される。さらに、排出される洗浄水の瞬間流量が抑制されるので、瞬間流量がほぼ一定に持続する時間が長くなる。このように、内装タンク排水口部２４ｂ内に流入した洗浄水は、円筒部７６が内装タンク排水口部２４ｂ内に延びている所定長さの区画にわたって縮小された円筒部環状流路８０内を瞬間流量をほぼ一定に維持しながら一定時間持続して流れる。
【００４４】
また絞り部材６４の円筒部７６は突出部７８を形成しているので、突出部７８と内装タンク排水口部２４ｂとの間の流路は、円筒部７６と内装タンク排水口部２４ｂとの間の流路よりも狭く設定されている。従って、流入した洗浄水は、円筒部環状流路８０の流路断面積よりもさらに減少された突出部７８と内装タンク排水口部２４ｂとの間の流路断面積を通過するので、瞬間流量がさらに抑制される。例えば、弁体６２が上昇を開始し、洗浄水が、内装タンク排水口部２４ｂに流入を開始するときに、一気に内装タンク排水口部２４ｂ内に流入する洗浄水の瞬間流量を突出部７８と内装タンク排水口部２４ｂとの間の縮小された流路断面積によって比較的低い瞬間流量に抑制し、その後、突出部７８と内装タンク排水口部２４ｂとの間を通過する洗浄水の瞬間流量をその比較的低い瞬間流量に維持したまま一定時間継続する。
【００４５】
弁体６２が、最上位の高さ位置まで引き上げられると、回転駆動装置２８ａの作動が停止される。このとき、絞り部材６４の円筒部７６の下端７６ａは、内装タンク排水口部２４ｂの上端よりもｈ１の距離（例えば６ｍｍ）下方に位置し、絞り部材６４が内装タンク排水口部２４ｂ内にｈ１の長さ区間において部分的に挿入された状態となっている。
そして、弁体６２が内装タンク２４の排水口２４ｂを開放している間、内装タンク２４の内装タンク排水口部２４ｂから洗浄水が便器本体２の導水路６に排水され、この導水路６内の洗浄水が便器本体２のリム吐水口１２から水平方向に吐水され、便器本体２の洗浄が行われる。便器本体２内に吐水される洗浄水が、一定の瞬間流量を維持しており、便器本体２のボウル部４上を一定の瞬間流量の旋回流を形成しながらも整流された状態で水とびを発生させずに流下することができる。さらに、一定の瞬間流量の旋回流が一定時間持続されるので、汚物を便器本体２から排出する性能が高くなっている。
【００４６】
その後、操作装置２８は、所定時間経過後、或いはセンサ等の信号を受けたとき、再び回転駆動装置２８ａの作動を開始し、回転軸２８ｂと共に操作レバー２８ｃが所定方向に回転し、玉鎖５４が引き下げられ、オーバーフロー管６０の玉鎖取付部６０ｃが下降を開始し、弁体６２が内装タンク排水口部２４ｂを閉止する。このときの内装タンク２４内の洗浄水の水位はＷＬ２となっている。
【００４７】
弁体６２が内装タンク排水口部２４ｂを閉止すると、洗浄水の内装タンク２４の排水口部２４ｂからの流出は止まる。操作装置２８のコントローラの指令により給水装置２６の給水バルブ４２が開弁され洗浄水が内装タンク２４内に給水されるとともに、導水部４０からも洗浄水が結合部材３４を介して内装タンク２４に補給される。必要に応じて補給水部４４の補給水口５２からの補給水がオーバーフロー管６０中を介して便器本体２に供給される。そして、フロートスイッチ４６が内装タンク２４内の水位が上昇し、検知水位（満水水位ＷＬ１）に達したことを検知すると、操作装置２８のコントローラ（図示せず）が給水バルブ４２を閉じて洗浄水の給水を終了する。
【００４８】
上述した本発明の第１実施形態による洗浄水タンク装置によれば、洗浄水タンク装置２０の外装タンク２２及び内装タンク２４内の外装タンク排水口部２２ｂ及び内装タンク排水口部２４ｂの流路内の洗浄水の流れ方向の所定長さの区間における外装タンク排水口部２２ｂ及び内装タンク排水口部２４ｂの流路の開口断面積を縮小させる絞り部材６４が配置されていることにより、これら排水口部２２ｂ及び２４ｂから排出される洗浄水の瞬間流量を抑えることができると共に、瞬間流量がほぼ一定に持続する時間を長くすることができるため、近年の節水化により便器洗浄に使用できる洗浄水量自体が減ったとしても、便器本体２の排出性能を向上させることができる。また、ボウル部４内にほぼ水平方向に洗浄水を吐水して旋回流を形成する便器本体２において、瞬間流量を抑えると共に、瞬間流量をほぼ一定にすることができるため、便器本体２の外部への水飛びを防止することができる。
【００４９】
また、本発明の第１実施形態による洗浄水タンク装置によれば、絞り部材６４が上下方向に延びる円筒部７６で形成されて外装タンク２２及び内装タンク２４内の外装タンク排水口部２２ｂ及び内装タンク排水口部２４ｂの流路断面のほぼ中央に配置されていることにより、これら排水口部２２ｂ及び２４ｂから便器本体２のボウル部４へ流れる洗浄水が整流された状態で流れる。したがって、外装タンク２２及び内装タンク２４内の外装タンク排水口部２２ｂ及び内装タンク排水口部２４ｂ内を流れる洗浄水の乱流が少なくなり、瞬間流量がほぼ一定に持続する時間を長くすることができるため、近年の節水化により便器洗浄に使用できる洗浄水量自体が減ったとしても、便器本体２の排出性能を向上させることができる。また、ボウル部４内にほぼ水平方向に洗浄水を吐水して旋回流を形成する便器本体２において、瞬間流量を抑えると共に、瞬間流量をほぼ一定にすることができるため、便器本体２の外部への水飛びを防止することができる。
【００５０】
また、本発明の第１実施形態による洗浄水タンク装置によれば、排水弁装置３０の弁体６２が内装タンク排水口部２４ｂを開放している状態においても、絞り部材６４の下端７６ａが外装タンク排水口部２２ｂ及び内装タンク排水口部２４ｂの流路内に位置していることにより、これら排水口部２２ｂ及び２４ｂの流路の開口断面積を確実に縮小させることができ、これら排水口部２２ｂ及び２４ｂから排出される洗浄水の瞬間流量を抑えることができると共に、瞬間流量がほぼ一定に持続する時間を長くすることができるため、近年の節水化により便器洗浄に使用できる洗浄水量自体が減ったとしても、便器本体２の排出性能を向上させることができる。また、ボウル部４内にほぼ水平方向に洗浄水を吐水して旋回流を形成する便器本体２において、瞬間流量を抑えると共に、瞬間流量をほぼ一定にすることができるため、便器本体２のボウル部４の外部への水飛びを防止することができる。
【００５１】
また、本発明の第１実施形態による洗浄水タンク装置によれば、絞り部材６４が、排水弁装置３０が外装タンク排水口部２２ｂ及び内装タンク排水口部２４ｂを開放している状態でこれら排水口部２２ｂ及び２４ｂ内に部分的に挿入され、この絞り部材６４が挿入されている部分の上下方向の長さが５ｍｍ以上の長さに設定されていることにより、弁体６２が外装タンク排水口部２２ｂ及び内装タンク排水口部２４ｂを開放している状態で万一弁体６２が傾いたとしても、絞り部材６４を外装タンク排水口部２２ｂ及び内装タンク排水口部２４ｂのほぼ中央に位置させることができる適度な長さに設定することができ、これら排水口部２２ｂ及び２４ｂの開口断面積を周方向に沿って均一に縮小させることができる。
また、万が一、製造上の誤差が生じ、操作装置２８の内装タンク２４への取り付け位置がずれ、絞り部材６４が取り付けられている弁体６２の引き上げ量が大きくなった場合でも、絞り部材６４が排水口部２２ｂ及び２４ｂ内に挿入されている部分の上下方向の長さが５ｍｍ以上の長さに設定されていることにより、確実に絞り部材６４を排水口部２２ｂ及び２４ｂ内に挿入することができ、排水口部２２ｂ及び２４ｂの開口断面積を周方向に沿って均一に縮小させることができる。
【００５２】
また、本発明の第１実施形態による洗浄水タンク装置によれば、便器本体２のボウル部４内の水の落差による流水作用で汚物を押し流すことにより便器洗浄を行う洗い落し式の水洗大便器として用いることによって、長時間の洗浄を要し、瞬間流量がほぼ一定に持続する時間を長くすることが要求される洗い落し式の水洗大便器に特に有利な効果をもたらすことができる。
【００５３】
また、本発明の第１実施形態による洗浄水タンク装置によれば、洗浄水タンク装置２０の外装タンク排水口部２２ｂ及び内装タンク排水口部２４ｂの流路内の洗浄水の流れ方向の所定長さの区間におけるこれら排水口部２２ｂ及び２４ｂの流路の開口断面積を縮小させる絞り部材６４により、これら排水口部２２ｂ及び２４ｂから排出される洗浄水の瞬間流量を抑えることができると共に、瞬間流量がほぼ一定に持続する時間を長くすることができるため、近年の節水化により便器洗浄に使用できる洗浄水量自体が減ったとしても、便器本体２の排出性能を向上させることができる。
【００５４】
つぎに、図９を参照して、本発明の第１実施形態の洗浄水タンク装置において、洗浄水タンク装置から排出される洗浄水の瞬間流量と、洗浄水タンク装置が開弁されてからの時間と、の関係について調べた実験結果を、本発明の第１実施形態と比較例を比較しながら説明する。
図９は、本発明の第１実施形態の洗浄水タンク装置において、洗浄水タンク装置から排出される洗浄水の瞬間流量と、洗浄水タンク装置が開弁されてからの時間との関係について調べた実験結果を示す図であり、図９において、縦軸は洗浄水タンク装置から排出される洗浄水の瞬間流量Ｆ（ｌ/分）、横軸は洗浄水タンク装置が開弁されてからの時間Ｔ（秒）を示している。
【００５５】
図９に示すように、従来の絞り部材が配置されていない洗浄水タンク装置においては、弁体が開いてから瞬間流量ＦがＦ１まで急に増加し、短時間継続した後に、急に減少するが、一方、本発明の絞り部材６４が配置されている洗浄水タンク装置２０においては、弁体６２が開いてから瞬間流量Ｆが比較的緩やかに増加し、瞬間流量Ｆの最大値Ｆ２が従来の瞬間流量Ｆの最大値Ｆ１よりも低減された値となり、絞り部材がない場合より長時間にわたり瞬間流量Ｆの最大値Ｆ２近傍でほぼ一定の状態で安定して継続された後、緩やかに減少することが分かる。
【００５６】
つぎに、図１０乃至図１４を参照して、本発明の参考例の第２実施形態による絞り部材を備えた水洗式大便器について説明する。この第２実施形態による絞り部材を備えた水洗式大便器は、本発明の参考例である。
図１０は、本発明の参考例の第２実施形態による水洗大便器の内装タンク、給水装置、駆動装置及び排水弁装置の一部を、排水弁装置が閉弁している状態において示した概略部分断面図であり、図１１は、本発明の参考例の第２実施形態による水洗大便器の洗浄水タンク装置の絞り部材を示した斜視図であり、図１２は、本発明の参考例の第２実施形態による水洗大便器の洗浄水タンク装置の絞り部材を示した側面図であり、図１３は本発明の参考例の第２実施形態による水洗大便器の洗浄水タンク装置の絞り部材を示した上面図であり、図１４は本発明の参考例の第２実施形態による水洗大便器の内装タンク、給水装置、駆動装置及び排水弁装置の一部を、排水弁装置が開弁している状態において示した概略部分断面図である。ここで、図１０乃至図１４において、本発明の第１実施形態による絞り部材を備えた水洗式大便器と同一の部分については同一の符号を付し、それらの説明は省略する。
【００５７】
図１０に示すように、本発明の参考例の第２実施形態による水洗大便器１００においては、水洗大便器１００の便器本体２及び洗浄水タンク装置１２０の内装タンク２４は、上述した本発明の第１実施形態の水洗大便器１の便器本体２及び洗浄水タンク装置２０の内装タンク２４とほぼ同一の構成を備え、第２実施形態の水洗大便器１００の洗浄水タンク装置１２０の排水弁装置１３０及び外装タンク１２２が第１実施形態による水洗大便器１の洗浄水タンク装置２０の外装タンク２２及び排水弁装置３０と異なっている。
【００５８】
本発明の参考例の第２実施形態による水洗大便器１００の洗浄水タンク装置１２０の外装タンク１２２は、外装タンク１２２の底面１２２ａに形成された外装タンク排水口部１２２ｂの下端に、外装タンク排水口部１２２ｂの内側から立ち上がるように形成された絞り部材１６４を備えている。さらに、洗浄水タンク装置１２０の排水弁装置１３０が、オーバーフロー管６０の下端に別体として取り付けられている絞り部材１６４の傘部１７４を備えている。
【００５９】
絞り部材１６４は、内装タンク排水口部２４ｂ内において排水口部２４ｂの流路を絞るように設けられ、中空且つ円筒形状に形成され、その外側に流路を形成できるようになっている。
絞り部材１６４は、別体としてオーバーフロー管６０の下端に取り付けられている絞り部材１６４の傘部１７４と、この絞り部材１６４の上方に立ち上がる円錐形に形成された上部円錐部１８２と、上下方向に所定長さ同じ半径に形成されている円筒部１７６と、絞り部材１６４を下方且つ半径方向外側から支持する絞り部材支持部１８４を備えている。
【００６０】
絞り部材１６４の傘部１７４は、排水弁装置１３０の開弁時に水圧等の影響を抑えるような開口を形成すると共に洗浄水の吹き上がりを防ぐような傘を形成する。
円筒部１７６は、内装タンク排水口部２４ｂの流路内において円形の内装タンク排水口部２４ｂ形状との間にドーナツ形状の流路を形成している。さらに、円筒部１７６は、この円筒部１７６の円周上において外周側に環状に突出する突出部１７８を備えている。
【００６１】
絞り部材１６４の中心軸線が内装タンク排水口部２４ｂの中心軸線と一致した状態で外装タンク排水口部１２２ｂ内の中央に固定して配置されているので、絞り部材１６４の上部円錐部１８２から円筒部１７６にかけて、内装タンク排水口部２４ｂと、上部円錐部１８２及び円筒部１７６との間に円筒部環状流路１８０を形成するようになっている。この円筒部環状流路１８０は、この円筒部環状流路１８０の水平方向の流路断面積が、内装タンク２４の内装タンク排水口部２４ｂの開口断面積よりも絞り部材１６４の上部円錐部１８２及び円筒部１７６の分だけ減少されるように形成されている。
絞り部材１６４の円筒部１７６は、外装タンク排水口部１２２ｂ内の中央に固定して配置されるので、開弁時に弁体６２が上昇される場合においても、常に、上部円錐部１８２及び円筒部１７６が内装タンク排水口部２４ｂの流路内に存在するようになっており、外装タンク排水口部１２２ｂ及び内装タンク排水口部２４ｂ内において、弁座６８の上部から円筒部１７６の下端１７６ａまで、又は、弁座６８の上部より下方に位置されている円筒部１７６の上端１７６ａから下端１７６ａまで、例えば５ｍｍ以上の長さ、より好ましくは６ｍｍ以上の長さから、例えば１０ｍｍの長さまでの長さ区間にわたって円筒部環状流路１８０を形成するようになっている。
【００６２】
絞り部材１６４の突出部１７８は、円筒部１７６の軸線方向中央近傍の外周上から半径方向外側に向かって環状に突出するように形成されている。従って、突出部１７８と内装タンク排水口部２４ｂとの間の突出部環状流路１８１は、円筒部１７６と内装タンク排水口部２４ｂとの間の円筒部環状流路１８０よりも狭く設定され、すなわち、突出部１７８と内装タンク排水口部２４ｂとの間の突出部環状流路１８１の流路断面積は、円筒部１７６と内装タンク排水口部２４ｂとの間の円筒部環状流路１８０の流路断面積よりも減少されている。絞り部材６４の突出部１７８は、弁体６２が上昇を開始する排水初期において、内装タンク排水口部２４ｂ内に流入する洗浄水に対して流れの抵抗を生じさせることができるので、内装タンク排水口部２４ｂ内に流入する洗浄水の瞬間流量の増加を緩やかに抑えることができる。
【００６３】
絞り部材支持部１８４は、外装タンク排水口部１２２ｂの半径方向外側に取付けられる環状取付部１８４ａから円筒部の下端１７６ａまで延びる４本の円筒支持部１８４ｂによって、円筒部１７６の下端１７６ａを支持するように円筒部１７６の下端に取付固定されている。
【００６４】
絞り部材１６４は、上述のような円筒形状の他に、例えば、上方から下方に向かって徐々に拡径しながら広がる円錘形状体、上部の上部円錐部１８２の下端近傍の円筒部１７６の外周から外周に延びる突出部１７８を有している円筒形状体、上部円錐部１８２の代わりに上部から円筒部７６が形成されその頂部がドーム形状に丸められている円筒形状体、上下方向の長さが上記円筒部７６よりも短く形成されている筒形状体等の他の形状を有することができる。
【００６５】
つぎに、図１０及び図１４を参照して、本発明の参考例の第２実施形態による水洗大便器の動作（作用）について説明する。
まず、図１０に示すように、使用者が水洗大便器１００を使用する前においては、弁体６２が弁座に着座しており、 内装タンク２４内に洗浄水が満水水位ＷＬ１まで貯溜している状態となっている。
図１４に示すように、使用者が水洗大便器１を使用後、水洗大便器１００に設けられている便器使用者を検知する人体検知センサ（図示せず）からの信号、或いは、水洗大便器１の洗浄操作を指令する操作ボタン（図示せず）を使用者が操作した信号が操作装置２８内のコントローラ（図示せず）に送られ、回転駆動装置２８ａの作動が開始する。そして、回転駆動装置２８ａが作動すると、回転軸２８ｂと共に操作レバー２８ｃが所定方向に回転し、この操作レバー２８ｃに取り付けられている玉鎖５４が引き上げられ、オーバーフロー管６０の玉鎖取付部６０ｃが引き上げられる。このとき、オーバーフロー管６０は、ガイド部材５８によって、ガイドされながらガイド部材５８に対して上昇する。また、弁体６２は、オーバーフロー管６０の下端部に固着されているため、オーバーフロー管６０の上昇に伴って弁体６２も上昇する。
【００６６】
弁体６２が上昇を開始すると、内装タンク２４内に貯溜していた洗浄水が、弁体６２と内装タンク排水口部２４ｂとの間に矢印Ａ２に示すように流入を開始する。このとき、弁体６２と内装タンク排水口部２４ｂとの間に流入する洗浄水は、絞り部材１６４の円筒部１７６と内装タンク排水口部２４ｂとの間を流下する。従来技術のように絞り部材１６４が内装タンク排水口部２４ｂ内に配置されていない場合には、洗浄水が一気に比較的高い瞬間流量で排水口部２４ｂ内に流入していたが、本実施形態のような絞り部材１６４が排水口部２４ｂ内のほぼ中央に配置されている場合には、円筒部１７６と排水口部２４ｂとの間に形成されたドーナツ形状の流路により、排水口部２４ｂ内の開口断面積が縮小されているので、洗浄水が一気に通過することを抑制することができ、排出される洗浄水の瞬間流量が抑制される。さらに、排出される洗浄水の瞬間流量が抑制されるので、瞬間流量がほぼ一定に持続する時間が長くなる。このように、排水口部２４ｂ内に流入した洗浄水は、円筒部１７６が排水口部２４ｂ内に延びている所定長さの区画にわたって縮小された円筒部環状流路１８０内を瞬間流量をほぼ一定に維持しながら一定時間継続して流れる。
【００６７】
また絞り部材１６４の円筒部１７６に突出部１７８が形成されているので、突出部１７８と内装タンク排水口部２４ｂとの間の流路は、円筒部１７６と内装タンク排水口部２４ｂとの間の流路よりも狭く設定されている。従って、流入した洗浄水は、円筒部環状流路１８０の流路断面積よりもさらに減少された突出部１７８と内装タンク排水口部２４ｂとの間の流路断面積を通過するので、瞬間流量がさらに抑制される。例えば、弁体６２が上昇を開始し、洗浄水が、内装タンク排水口部２４ｂに流入を開始するときに、一気に内装タンク排水口部２４ｂ内に流入する洗浄水の瞬間流量を突出部１７８と内装タンク排水口部２４ｂとの間の縮小された流路断面積によって比較的低い瞬間流量に抑制し、その後、突出部１７８と内装タンク排水口部２４ｂとの間を通過する洗浄水の瞬間流量をその比較的低い瞬間流量に維持したまま一定時間継続する。
【００６８】
弁体６２が、最上位の高さまで引き上げられると、回転駆動装置２８ａの作動が停止される。このとき、絞り部材６４は外装タンク排水口部１２２ｂの下端に固定されているので、絞り部材６４が内装タンク排水口部２４ｂ及び排水口部１２２ｂ内にｈ２の長さ区間において挿入された状態となっている。
そして、弁体６２が内装タンク２４の排水口２４ｂを開放している間、内装タンク排水口部２４ｂから洗浄水が便器本体２の導水路６に排水され、この導水路６内の洗浄水が便器本体２のリム吐水口１２からほぼ水平方向に吐水され、便器本体２の洗浄が行われる。便器本体２内に吐水される洗浄水が、一定の瞬間流量を維持しており、便器本体２のボウル部４上を一定の瞬間流量の旋回流を形成しながらも整流された状態を維持して水とびを発生させずに流れる。
【００６９】
その後、操作装置２８は、所定時間経過後、或いはセンサ等の信号を受けたとき、再び回転駆動装置２８ａの作動を開始し、回転軸２８ｂと共に操作レバー２８ｃが所定方向に回転し、玉鎖５４が引き下げられ、オーバーフロー管６０の玉鎖取付部６０ｃが下降を開始し、弁体６２が内装タンク排水口部２４ｂを閉止する。このときの内装タンク２４内の洗浄水の水位はＷＬ２となっている。
【００７０】
弁体６２が内装タンク排水口部２４ｂを閉止すると、洗浄水の内装タンク２４の排水口部２４ｂからの流出は止まる。操作装置２８のコントローラの指令により給水装置２６の給水バルブ４２が開弁され洗浄水が内装タンク２４内に給水されるとともに、導水部４０からも洗浄水が結合部材３４を介して内装タンク２４に補給される。必要に応じて補給水部４４の補給水口５２からの補給水がオーバーフロー管６０中を介して便器本体２に供給される。そして、フロートスイッチ４６が内装タンク２４内の水位が検知水位（満水水位ＷＬ１）に達したことを検知すると、操作装置２８のコントローラ（図示せず）が給水バルブ４２を閉じて洗浄水の給水を終了する。
【００７１】
上述した本発明の参考例の第２実施形態による洗浄水タンク装置によれば、洗浄水タンク装置１２０の外装タンク１２２及び内装タンク２４内の外装タンク排水口部１２２ｂ及び内装タンク排水口部２４ｂの流路内の洗浄水の流れ方向の所定長さの区間における外装タンク排水口部１２２ｂ及び内装タンク排水口部２４ｂの流路の開口断面積を縮小させる絞り部材１６４が外装タンク１２２の外装タンク排水口部１２２ｂの下端から挿入されるように配置されていることにより、これら排水口部１２２ｂ及び２４ｂから排出される洗浄水の瞬間流量を抑えることができると共に、瞬間流量がほぼ一定に持続する時間を長くすることができるため、近年の節水化により便器洗浄に使用できる洗浄水量自体が減ったとしても、便器本体２の排出性能を向上させることができる。また、ボウル部４内にほぼ水平方向に洗浄水を吐水して旋回流を形成する便器本体２において、瞬間流量を抑えると共に、瞬間流量をほぼ一定にすることができるため、便器本体２の外部への水飛びを防止することができる。
【００７２】
また、本発明の参考例の第２実施形態による洗浄水タンク装置によれば、絞り部材１６４が上下方向に延びる円筒部１７６で形成されて外装タンク１２２及び内装タンク２４内の外装タンク排水口部１２２ｂ及び内装タンク排水口部２４ｂの流路断面のほぼ中央に配置されていることにより、これら排水口部１２２ｂ及び２４ｂから便器本体２のボウル部４へ流れる洗浄水が整流された状態で流れる。したがって、外装タンク１２２及び内装タンク２４内の外装タンク排水口部１２２ｂ及び内装タンク排水口部２４ｂ内を流れる洗浄水の乱流が少なくなり、瞬間流量がほぼ一定に持続する時間を長くすることができるため、近年の節水化により便器洗浄に使用できる洗浄水量自体が減ったとしても、便器本体２の排出性能を向上させることができる。また、ボウル部４内にほぼ水平方向に洗浄水を吐水して旋回流を形成する便器本体２において、瞬間流量を抑えると共に、瞬間流量をほぼ一定にすることができるため、便器本体２の外部への水飛びを防止することができる。
【００７３】
また、本発明の参考例の第２実施形態による洗浄水タンク装置によれば、排水弁装置３０の弁体６２が内装タンク排水口部２４ｂを開放している状態においても、絞り部材６４の傘部１７４がオーバーフロー管６０の内側に結合され、絞り部材６４が外装タンク排水口部１２２ｂの下端から挿入されるように配置され、外装タンク排水口部１２２ｂ及び内装タンク排水口部２４ｂの流路内に位置していることにより、これら排水口部１２２ｂ及び２４ｂの流路の開口断面積を確実に縮小させることができ、これら排水口部１２２ｂ及び２４ｂから排出される洗浄水の瞬間流量を抑えることができると共に、瞬間流量がほぼ一定に持続する時間を長くすることができるため、近年の節水化により便器洗浄に使用できる洗浄水量自体が減ったとしても、便器本体２の排出性能を向上させることができる。また、ボウル部４内にほぼ水平方向に洗浄水を吐水して旋回流を形成する便器本体２において、瞬間流量を抑えると共に、瞬間流量をほぼ一定にすることができるため、便器本体２のボウル部４の外部への水飛びを防止することができる。
【符号の説明】
【００７４】
１            水洗大便器
２            便器本体
４            ボウル部
６            導水路
１０          リム
１２          リム吐水口
１４          溜水部
１８          ゼット吐水口
２０          洗浄水タンク装置
２２          外装タンク
２２ｂ        外装タンク排水口部
２２ａ        底面
２４ａ        底面
２４          内装タンク
２４ｂ        内装タンク排水口部
２６          給水装置
２８          操作装置
３０          排水弁装置
６０          オーバーフロー管
６２          弁体
６４          絞り部材
６８          弁座
７６          円筒部
７８          突出部
１００        水洗大便器
１２０        洗浄水タンク装置
１２２        外装タンク
１２２ｂ      外装タンク排水口部
１２２ａ      底面
１２２ｂ      排水口部
１３０        排水弁装置
１６４        絞り部材
１７４        傘部
１７６        円筒部
１７８        突出部
Ａ１          矢印
Ａ２          矢印
Ｆ１          従来の瞬間流量の最大値
Ｆ２          本発明の瞬間流量のほぼ一定となる値
Ｔ            時間
Ｗ0           溜水面
ＷＬ１        満水水位
ＷＬ２        止水水位
【図１】
0006021042.tif 000002
【図２】
0006021042.tif 000003
【図３】
0006021042.tif 000004
【図４】
0006021042.tif 000005
【図５】
0006021042.tif 000006
【図６】
0006021042.tif 000007
【図７】
0006021042.tif 000008
【図８】
0006021042.tif 000009
【図９】
0006021042.tif 000010
【図１０】
0006021042.tif 000011
【図１１】
0006021042.tif 000012
【図１２】
0006021042.tif 000013
【図１３】
0006021042.tif 000014
【図１４】
0006021042.tif 000015